(57)【要約】【課題】プレキャストおよび骨組ブロック要素構造のための方法および装置【解決手段】プレキャスト平面構造ブロック（１０）は現場で成形されるか、あるいは独立モジュールに収容され組み立てられる。様々な形状の間隔を空けた対のブロックは、広い専有面積全体に建設荷重を印加する独立モジュールを形成する。二軸スリーブコネクタ（１００）とネジ式ロッドにより、ブロック間の連結が容易になる。独立モジュールは、他の構造要素と連結され、完成された主構造を形成する。次に、主構造は製造されたブロックを用いて包囲され、周壁と屋根を構築する。
2006502330.tif 000002
【特許請求の範囲】
【請求項１】
支持面に荷重を伝達するための平面プレキャスト建築用ブロックであって、
略垂直の第１の端弦と、この第１の端弦から離れた第２の端弦であって、各端弦が、
ベース面が端弦から支持面へ荷重を伝達するように、ベース面を備えた第１の端部、
第２の端部、
他方の端弦の第１の面と同じ平面にある第１の面と、他方の端弦の第２の面と同じ平面にある第２の面、
他方の端弦から離れて対向する少なくとも１つの面、及び
他方の端弦に向かって対抗する少なくとも１つの面、
を備えている第1並びに第２の端弦と、
前記第１の端弦と第２の端弦とに荷重を伝達するように、第１の端弦の第２の端部と第２の端弦の第２の端部との間にある上支持梁と、
第１の端弦の一部を第２の端弦に連結する少なくとも１つのクロス梁と、
第２の建築用ブロックが第１の端弦に装着されるように、第１の端弦と一体化している少なくとも１つのブロック連結手段と、
を具備する、建築用ブロック。
【請求項２】
基梁が第１および第２の端弦のベース面と同じ平面の面を有するように、クロス梁が第１の端弦の第１の端部と第２の端弦の第１の端部との間の基梁である、請求項１に記載の建築用ブロック。
【請求項３】
前記基梁が端弦を越えて延びるように、基梁の少なくとも１つの片側梁延伸部をさらに具備する、請求項２に記載の建築用ブロック。
【請求項４】
基梁と上梁の間に配置される第２のクロス梁と、
第２のクロス梁を基梁の一部に連結するように、第１の端弦と第２の端弦との間に配置される略垂直な中間弦と、
をさらに具備する、請求項２に記載の建築用ブロック。
【請求項５】
前記支持面は、厚板土台、橋脚、複数の橋脚、足場、複数の足場、建築用ブロック、構造モジュール、オングレード面から成る群から選択される、請求項１に記載の建築用ブロック。
【請求項６】
前記上梁が端弦を越えて延びるように、前記上梁は、少なくとも１つの片側梁延伸部を備える、請求項１に記載の建築用ブロック。
【請求項７】
各中間クロス梁が第１の端弦の一部を第２の端弦に連結されるように、第１および第２の端弦の第１および第２の端部の間に配置される少なくとも２つの中間クロス梁をさらに具備する、請求項１に記載の建築用ブロック。
【請求項８】
前記中間クロス梁は、端弦を越えて延びるように、少なくとも１つの中間クロス梁が少なくとも１つの片側梁延伸部をさらに備える、請求項７に記載の建築用ブロック。
【請求項９】
前記建築用ブロックが矩形の建築用ブロックであるように、前記第２の端弦は第１の端弦と平行であり、前記上支持梁は第１の端弦および第２の端弦に垂直である、請求項１に記載の建築用ブロック。
【請求項１０】
前記連結手段は、スリーブコネクタ、キーコネクタ、幾何的噛み合い、ヒンジコネクタから成る群から選択される、請求項１に記載の建築用ブロック。
【請求項１１】
前記連結手段は、二軸スリーブコネクタである、請求項１に記載の建築用ブロック。
【請求項１２】
第１の端弦上の第１の二軸スリーブコネクタと、第２の端弦上の第２の二軸スリーブコネクタとをさらに具備する、請求項１１に記載の建築用ブロック。
【請求項１３】
前記第２の二軸スリーブコネクタは、第１の二軸スリーブコネクタに対して非対称に配向している、請求項１２に記載の建築用ブロック。
【請求項１４】
第２の二軸スリーブコネクタは、第１の二軸スリーブコネクタに対して対称に配向している、請求項１２に記載の建築用ブロック。
【請求項１５】
端弦の第３の面から延びる少なくとも１つの平面外向き片側梁延伸部をさらに具備する、請求項１に記載の建築用ブロック。
【請求項１６】
前記延伸部は、支持面からオフセットされる、請求項１５に記載の建築用ブロック。
【請求項１７】
前記第１の端弦は、
他方の端弦から離れて対向する第１の外側端面と、
他方の端弦から離れて対向する第２の外側端面と
をさらに備える、請求項１に記載の建築用ブロック。
【請求項１８】
前記第１の端弦は、上梁を越える延伸部を備える、請求項１に記載の建築用ブロック。
【請求項１９】
前記第１の端弦と第２の端弦の間に配置される少なくとも１つの斜め支材をさらに具備する、請求項１に記載の建築用ブロック。
【請求項２０】
支持面に荷重を伝達するためのプレキャスト建築用ブロックであって、
略垂直の第１の端弦と、第１の端弦から離れた第２の端弦であって、各端弦が、
ベース面が端弦から支持面へ荷重を伝達するように、ベース面を備えた第１の端部、
第２の端部、
他方の端弦の第１の面と同じ平面にある第１の面、
他方の端弦の第２の面と同じ平面にある第２の面、
他方の端弦から離れて対向する少なくとも１つの面、並びに
他方の端弦に向かって対抗する少なくとも１つの面、
を備える端弦と、
第１の端弦のと第２の端弦との間に配置される略垂直の中間弦であって、
ベース面が中間弦から支持面に荷重を伝達するように、ベース面を備えた第１の端部と、
第２の端部と、
第１および第２の端弦の第１の面と同じ平面にある第１の面と、
を備える中間弦と、
第１の端弦と中間弦に荷重を伝達するように、第１の端弦の第２の端部と中間弦の第２の端部との間に配置される第１の上支持梁と、
第２の端弦と中間弦に荷重を伝達するように、第２の端弦の第２の端部と中間弦の第２の端部との間に配置される第２の上支持梁と、
第１の端弦の一部と中間弦を連結する第１のクロス梁と、
第２の建築用ブロックが第１の端弦に装着できるように、第１の端弦と一体化している少なくとも１つのブロック連結手段と、
を具備する、ブロック。
【請求項２１】
前記基梁が第１および第２の端弦のベース面と同じ平面の面を有するように、第１のクロス梁と第２のクロス梁とは、第１の端弦の第１の端部と第２の端弦の第１の端部との間の基梁を備える、請求項２０に記載の建築用ブロック。
【請求項２２】
前記基梁は、端弦を越えて延びるように、基梁の少なくとも１つの片側梁延伸部をさらに備える、請求項２１に記載の建築用ブロック。
【請求項２３】
前記支持面は、厚板土台、橋脚、複数の橋脚、足場、複数の足場、建築用ブロック、構造モジュール、オングレード面から成る群から選択される、請求項２０に記載の建築用ブロック。
【請求項２４】
前記第１の上梁は、第１の端弦を越えて延びるように、前記第１の上梁は、片側梁延伸部を備える、請求項２０に記載の建築用ブロック。
【請求項２５】
前記第２の上梁は、第２の端弦を越えて延びるように、前記第２の上梁は、片側梁延伸部を備える、請求項２０に記載の建築用ブロック。
【請求項２６】
第２の端弦の一部を中間弦に連結する第２のクロス梁をさらに具備する、請求項２０に記載の建築用ブロック。
【請求項２７】
第１の端弦の一部を中間弦に連結するように、第１の端弦の第１および第２の端部と中間弦との間に配置される少なくとも１つの中間クロス梁をさらに具備する、請求項２０に記載の建築用ブロック。
【請求項２８】
前記中間クロス梁は、端弦を越えて延びるように、前記中間クロス梁は、少なくとも１つの片側梁延伸部をさらに備える、請求項２７に記載の建築用ブロック。
【請求項２９】
前記連結手段は、スリーブコネクタ、キーコネクタ、幾何的噛み合い、ヒンジコネクタから成る群から選択される、請求項２０に記載の建築用ブロック。
【請求項３０】
前記連結手段は、二軸スリーブコネクタである、請求項２０に記載の建築用ブロック。
【請求項３１】
第１の端弦上の第１の二軸スリーブコネクタと、第２の端弦上の第２の二軸スリーブコネクタとをさらに具備する、請求項３０に記載の建築用ブロック。
【請求項３２】
端弦の第３の面から延びる少なくとも１つの平面外片側梁延伸部をさらに具備する、請求項２０に記載の建築用ブロック。
【請求項３３】
延伸部が支持面からオフセットされる、請求項３２に記載の建築用ブロック。
【請求項３４】
第１の平面プレキャスト建築用ブロックと第２の平面プレキャスト建築用ブロックであって、各ブロックが、
略垂直の第１の端弦と、第１の端弦から離れた第２の端弦であって、各端弦が、
他方の端弦の第１の面と同じ平面にある第１の面と、
他方の端弦の第２の面と同じ平面にある第２の面と、
第１の面および第２の面と垂直で、他方の端弦から離れて対向する第３の面と、
他方の端弦に向かって対向する少なくとも１つの面と、
を備える端弦と、
第１の端弦と第２の端弦との間の少なくとも２つの梁と、
を備える連結対のプレキャスト建築用ブロックであって、
Ｌ字状の対のブロックを作成するため、第１のブロックの第１の梁の第３の面が第２のブロックの第２の梁の第１の面に装着される、連結対ブロック。
【請求項３５】
前記ブロックは、二軸スリーブコネクタのスリーブを通って配置されるネジ式コネクタで装着される、請求項３４に記載の連結対プレキャスト建築用ブロック。
【請求項３６】
略垂直の第１の端弦と第１の端弦から離れた第２の端弦であって、各端弦が、
他方の端弦の第１の面と同じ平面にある第１の面と、
他方の端弦の第２の面と同じ平面にある第２の面と、
第１の面および第２の面と垂直で、他方の端弦から離れて対向する第３の面と、
他方の端弦に向かって対向する少なくとも１つの面と、
を備える端弦と、
第１の端弦と第２の端弦との間の少なくとも２つの梁と、
を備える第３の平面プレキャスト建築用ブロックであって、
第１のブロックの第２の梁の第２の面が、第３のブロックの第１の梁の第３の面に装着されることにより、リブ状の壁部を形成するような第３の平面プレキャスト建築用ブロックをさらに備える、請求項３４に記載の連結対のプレキャスト建築用ブロック。
【請求項３７】
略垂直の第１の端弦と第１の端弦から離れた第２の端弦であって、各端弦が、
他方の端弦の第１の面と同じ平面にある第１の面と、
他方の端弦の第２の面と同じ平面にある第２の面と、
第１の面および第２の面と垂直で、他方の端弦から離れて対向する第３の面と、
他方の端弦に向かって対向する少なくとも１つの面と、
を備える端弦と、
第１の端弦と第２の端弦との間の少なくとも２つの梁と、
を備える第３の平面プレキャスト建築用ブロックであって、
開放箱型柱を作成するため、第２のブロックの第１の梁の第３の面が第３のブロックの第２の梁の第１の面に装着されるような第３の平面プレキャスト建築用ブロックをさらに備える、請求項３４に記載の連結対のプレキャスト建築用ブロック。
【請求項３８】
略垂直の第１の端弦と第１の端弦から離れた第２の端弦であって、各端弦が、
他方の端弦の第１の面と同じ平面にある第１の面と、
他方の端弦の第２の面と同じ平面にある第２の面と、
第１の面および第２の面と垂直で、他方の端弦から離れて対向する第３の面と、
他方の端弦に向かって対向する少なくとも１つの面と、
を備える端弦と、
第１の端弦と第２の端弦との間の少なくとも２つの梁と、
を備える第４の平面プレキャスト建築用ブロックであって、
正方形の箱型柱を作成するため、第３のブロックの第１の梁の第３の面が第４のブロックの第２の梁の第１の面に装着され、第４のブロックの第１の梁の第３の面が第１のブロックの第２の梁の第１の面に装着されるような第４の平面プレキャスト建築用ブロックをさらに具備する、請求項３４に記載の連結対のプレキャスト建築用ブロック。
【請求項３９】
第１の平面プレキャスト建築用ブロックと第２の平面プレキャスト建築用ブロックであって、各ブロックが、
略垂直の第１の端弦と第１の端弦から離れた第２の端弦であって、各端弦が、
他方の端弦の第１の面と同じ平面にある第１の面と、
他方の端弦の第２の面と同じ平面にある第２の面と、
第１の面および第２の面と垂直で、他方の端弦から離れて対向する第３の面と、
他方の端弦に向かって対向する少なくとも１つの面と、
を備える端弦と、
第１の端弦と第２の端弦との間の少なくとも２つの梁と、
を備え、
平面対のブロックを作成するため、第１のブロックの第１の梁の第３の面が第２のブロックの第１の梁の第３の面に装着される、連結対のプレキャスト建築用ブロック。
【請求項４０】
略垂直の第１の端弦と第１の端弦から離れた第２の端弦であって、各端弦が、
他方の端弦の第１の面と同じ平面にある第１の面と、
他方の端弦の第２の面と同じ平面にある第２の面と、
第１の面および第２の面と垂直で、他方の端弦から離れて対向する第３の面と、
他方の端弦に向かって対向する少なくとも１つの面と、
を備える端弦と、
第１の端弦と第２の端弦との間の少なくとも２つの梁と、
を備える第３の平面プレキャスト建築用ブロックであって、
第１のブロックの第２の梁の第３の面が第３のブロックの第２の梁の第３の面に装着されることによって、平坦壁部を形成するような第３の平面プレキャスト建築用ブロックをさらに具備する、請求項３９に記載の連結対のプレキャスト建築用ブロック。
【請求項４１】
略垂直の第１の端弦と第１の端弦から離れた第２の端弦であって、各端弦が、
他方の端弦の第１の面と同じ平面にある第１の面と、
他方の端弦の第２の面と同じ平面にある第２の面と、
第１の面および第２の面と垂直で、他方の端弦から離れて対向する第３の面と、
他方の端弦に向かって対向する少なくとも１つの面と、
を備える端弦と、
第１の端弦と第２の端弦との間の少なくとも２つの梁と、
を備える第４の平面プレキャスト建築用ブロックであって、
第４のブロックの第１の梁の第３の面が第１のブロックの第１の梁の第１の面に装着されることによって、片蓋柱壁部を形成するような第４の平面プレキャスト建築用ブロックをさらに具備する、請求項４０に記載の平坦壁部。
【請求項４２】
略垂直の第１の端弦と第１の端弦から離れた第２の端弦であって、各端弦が、
他方の端弦の第１の面と同じ平面にある第１の面と、
他方の端弦の第２の面と同じ平面にある第２の面と、
第１の面および第２の面と垂直で、他方の端弦から離れて対向する第３の面と、
他方の端弦に向かって対向する少なくとも１つの面と、
を備える端弦と、
第１の端弦と第２の端弦との間の少なくとも２つの梁と、
を備える複数のその他の建築用ブロックであって、
第１のブロック、第２のブロック、第３のブロック、および複数のその他の建築用ブロックがそれぞれ少なくとも１つのその他のブロックに連結されることによって、通常の周壁を形成するような複数のその他の建築用ブロックをさらに具備する、請求項４０に記載の連結対のプレキャスト建築用ブロック。
【請求項４３】
第１の平面プレキャスト建築用ブロックと第２の平面プレキャスト建築用ブロックであって、各ブロックが、
略垂直の第１の端弦と第１の端弦から離れた第２の端弦であって、各端弦が、
他方の端弦の第１の面と同じ平面にある第１の面と、
他方の端弦の第２の面と同じ平面にある第２の面と、
第１の面および第２の面と垂直で、他方の端弦から離れて対向する第３の面と、
他方の端弦に向かって対向する少なくとも１つの面と、
を備える端弦と、
第１の端弦と第２の端弦との間に配置される、略垂直の中間弦と、
第１の端弦と中間弦との間の少なくとも２つの梁と、
第２の端弦と中間弦との間の少なくとも２つの梁と、
を備えるブロックと、
第１のブロックの第１の端弦と第１のブロックの第１の端弦の間の第１の連結要素と、
第１のブロックの第２の端弦と第１のブロックの第２の端弦の間の第２の連結要素と、
を備える、非対称モジュール。
【請求項４４】
前記第１の連結要素はプレキャスト建築用ブロックであり、前記第２の連結要素はプレキャスト建築用ブロックである、請求項４３に記載の非対称モジュール。
【請求項４５】
第１の平面プレキャスト建築用ブロックと第２の平面プレキャスト建築用ブロックであって、各ブロックが、
上梁と、
基梁と、
上梁と基梁の間の複数の弦と、
を備えるブロックと、
第１のブロックの弦と第２のブロックの弦との間の複数の構造連結要素と、
を備える、非対称屋根トラスモジュール。
【請求項４６】
第２の平面プレキャスト建築用ブロックから離れた第１の平面プレキャスト建築用ブロックであって、各ブロックが、
略垂直の第１の端弦と、
第１の端弦から離れた第２の端弦と、
第１の端弦と第２の端弦との間の少なくとも２つの梁と、
を備えるブロックと、
第１のブロックを第２のブロックに連結する少なくとも１つの構造部材と、
を備える、複数の独立して安定した構造モジュールと、
各構造モジュールを少なくとも１つのその他の構造モジュールに連結する複数の連結部材と、
を備える、建築枠組。
【請求項４７】
少なくとも１つの構造モジュールの前記構造部材は第３のブロックであり、第３のブロックが第１のブロックおよび第２のブロックに直角に配向して装着されることによって、片開箱型柱を形成する、請求項４６に記載の建築枠組。
【請求項４８】
少なくとも１つの構造モジュールが第３のブロックと第４のブロックを備え、第３のブロックと第４のブロックが第１のブロックと第２のブロックに直角に配向して装着されることによって、箱型柱を形成する、請求項４６に記載の建築枠組。
【請求項４９】
少なくとも１つの構造モジュールが、第２のブロックに対して斜めである第１のブロックを具備する、請求項４６に記載の建築枠組。
【請求項５０】
半径方向に配向して支持面の中心点に少なくとも部分的に外接する、支持面上に設置される複数の構造モジュールであって、各構造モジュールが、
略垂直の第１の端弦と、
第１の端弦から離れた第２の端弦と、
第１の端弦と第２の端弦の間の少なくとも２つの梁と、
を備える、第２の平面プレキャスト構造ブロックから離れた第１の平面プレキャスト構造ブロックと、
第１のブロックを第２のブロックに連結する第１の構造部材と、
第１のブロックを第２のブロックに連結する第２の構造部材と、
を備え、第１の構造部材が第２の構造部材よりも支持面上の中心点に近く、第１の構造部材が第２の構造部材よりも細い構造モジュールをさらに備える、請求項４６に記載の建築枠組。
【請求項５１】
少なくとも１つの構造モジュールが、第１のブロックと構造部材に設けられた一直線に並んだスリーブにより位置決めされた、少なくとも１つのコネクタ手段を有する構造部材に装着される第１のブロックを備える、請求項４６に記載の建築枠組。
【請求項５２】
前記コネクタ手段は二軸スリーブである、請求項５１に記載の建築枠組。
【請求項５３】
前記コネクタ手段は幾何学的噛み合いである、請求項５２に記載の建築枠組。
【請求項５４】
前記モジュールの少なくとも一部により支持される複数の壁ブロックをさらに具備する、請求項４６に記載の建築枠組。
【請求項５５】
前記モジュールの少なくとも一部により支持される複数の床ブロックをさらに具備する、請求項５４に記載の建築枠組。
【請求項５６】
前記モジュールの少なくとも２つが、床ブロックを支持する翼状箱型柱である、請求項５４に記載の建築枠組。
【請求項５７】
前記モジュールの少なくとも一部により支持される複数の屋根支持部材と、
前記屋根支持部材により支持される複数の屋根ブロックと、
をさらに具備する、請求項５６に記載の建築枠組。
【請求項５８】
補強コンクリート建築用ブロックを形成するスタック成形プロセスであって、
成形面に剥離材を塗布すること、
ブロックが平坦な向きで注入されるように成形面に型枠を一時的に固定すること、
型枠内に補強材を配置すること、
第１のブロックを成形するために型枠に湿性コンクリートを供給すること、
により、既存の成形に第１のブロックを平坦に注入することと、
第１のブロックを部分的に硬化させることと、
第１のブロックから型枠を除去することと、
第１のモジュールに剥離材を塗布すること、
第２のブロックが平坦な向きで注入されるように第１のブロックに一時的に型枠を固定すること、
型枠内に補強材を配置すること、
第２のブロックを成形するために型枠に湿性コンクリートを供給すること、
により、第１のブロックの上部に第２のブロックを注入することと、
を具備する、プロセス。
【請求項５９】
成形面に無蓋の型枠を一時的に固定することが、
成形面に第１の型枠部材を一時的に固定することと、
スリーブが成形後にブロックを通る通路を提供するように、型枠内に複数の二軸連結スリーブを配置することと、
ネジ式ロッドが第１および第２の端部を持つように、第１の型枠部材と連結スリーブと第２の型枠部材とにネジ式ロッドをねじ込むこと、
第１の端部の近傍でネジ式ロッドに第１の拘束手段を一時的に設置すること、
第１および第２の拘束手段が連結スリーブに対して第１および第２の型枠部材を保持するように、第２の端部の近傍でネジ式ロッドに第２の拘束手段を一時的に設置すること、
により、第１の型枠部材から所望の距離に第２の型枠部材を固定することと、
をさらに具備する、請求項５８に記載の方法。
【請求項６０】
成形型枠内に補強部材を配置することが、
成形後にスリーブがブロックを通る通路を提供するように、型枠内に複数の二軸連結スリーブを配置することと、
二軸連結スリーブに補強部材を固定することと、
をさらに具備する、請求項５８に記載の方法。
【請求項６１】
第２の型枠を除去することと、
第２のブロックを引き上げることと、
第１のブロックが成形面上にある間に、第２のブロックを第１のブロックに装着することと、
第１のブロックと第２のブロックの連結対を架設することと、
を具備する、請求項５８に記載の方法。
【請求項６２】
第１のブロックが成形面上にある間に、第３のブロックを第１のブロックに装着することと、
連結された第１のブロック、第２のブロック、および第３のブロックを架設することと、
を具備する、請求項６１の方法。
【発明の詳細な説明】
【技術分野】
【０００１】
（関連出願）
本願は、２００２年１０月８日に提出された米国仮特許出願第６０／４１７，０６５号に関連し、同出願日の利益を主張する。
【０００２】
本発明は、プレキャスト構造建築用ブロック、プレキャストまたは骨組式の床、壁および屋根ブロック、それらのブロックの組み合わせから成り、構造要素を製造する建築システム、およびそれらのブロックを製造、組立、分解、再構成する方法に関する。
【背景技術】
【０００３】
木造骨組建築物、鉄骨建築物、コンクリート構造などを含む様々な種類の構造が、従来技術において既知である。
【０００４】
従来の慣習上行われる構造設計の決定の大半が、コストの影響を受け、大部分の建築物プロジェクトの構造エンジニアには、構造の安全性を確保する第１の義務を守りつつ、コストを最小限に抑えるという多大なプレッシャーがかかる。これらのプレッシャーから、多くの建築物では、構造物を最低限に抑える傾向がある。建築法規により定められる統計過重ガイダンスに妥当に組み込むことのできない、稀だが極度の負荷が構造物にかかる場合、こうした傾向が不適切になる可能性がある。
【０００５】
したがって、通常、工学的構造物は、必須安全係数により達成されるよりも大きな予備能力を必ずしも設けずに、法規に明記される荷重に安全に耐えるように設計される。建築法規に定められる最低荷重に耐えるのに必要な構造能力を大きく超過する構造能力を提供するように建設することによって、建設された構造の機能性と汎用性に新たな機会が創出される。
【０００６】
従来の構造の構造物の設計は通常、利用可能な床面積を保全するために力を集結することを目指し、筋かいや耐震壁などの、構造物を安定させる二次的なラテラルシステムに頼る。支持面にかかる応力を最小限に抑える構造力を、広範な基盤全体に意図的に分布させることにより恩恵を得ることができる。
【０００７】
従来の構造は通常、邪魔で高額な枠組を伴う現場打ち構造、あるいは横方向の安全性のための筋かいや耐震壁に頼る相互連結したスティックまたはパネル枠組から成る。構造隔壁およびラテラルシステムが完成するまで従来の構造は本質的に不安定であるため、比較的短い工事期間に起こる構造上の故障は、何年も立っている完成された建築物における故障よりも一般的である。
【０００８】
従来の構造に一般的に必要とされる水平の筋かいおよび支保工は、多くの建設事故の原因となる建築現場での障害を生む。ふつう、従来の構造は１人か２人の作業員により持ち上げ、取り扱うことのできる部品の現場での組立を含むため、外壁および屋根の構造には、一般的に地上からずっと上の場所での労力が大いに含まれる。このため、死に至る危険な労働災害を招く落下事故が起きる可能性がある。従来の構造が傾斜壁構造などを伴う大型の部品を利用する場合、水平の筋かいおよび支保工の部材や連結部を設置する間、それらの部品を所定位置に保持する、高くつく起重時間が消費される。これは、巻き上げ線を緩める前に部品を安定させるために必要である。一時的な筋かいおよび支保工を必要とせず、起重時間を有効に活用できる、個々に安定したモジュールのシステムを利用して建設することが望ましい。
【０００９】
コンクリート建築物またはコンクリート枠組構造の分野で、構造要素は一般的に、平板または梁、厚板タイプの用途のように適所で成形されるか、傾斜壁構造のように現場で予め製造されるか、プレキャストコンクリート板、Ｔ継手、壁ブロックのように現地外で予め製造されるか、のいずれかである。ほとんどの重要な建築構造は、設計の専門家による作業チームの成果である独自の設計に基づき建設される。任意の建築物の設計は通常、そのプロジェクトにとって１つしか存在しない。増大し続ける時間、予算、および責任のプレッシャーの下で独自のプロジェクトの設計に当たることは、設計の専門家にとって真の課題である。また、否応なく不完全な図面と仕様書のセットであると証明されるものから独自の複雑なプロジェクトを解釈し、構築せざるを得ない建設業者にも多大な負担を課す。設計と構造の両方において広範な簡略化を提供しつつ、設計の柔軟性を可能にする建築システムを導入することが極めて望ましい。これは、互換性のある部品の拡張キットにより達成可能である。
【００１０】
コンクリート現場打ち構造の現地成形の利用には、コンクリートを流し込む型枠を現地で製造する費用と遅延を要する。現地または工場の管理下状況でのその他の手段により大量に建造する、あるいは大量に製造することのできるコンクリート構造要素を提供することが望ましい。
【００１１】
傾斜壁構造は、プレキャスト壁要素にいくつかの利点を提供するが、壁ブロックの成形面として機能する、広い面積の傾斜支持厚板を予め構築する必要があるという欠点も有する。また、傾斜壁構造は、追加の構造要素が壁に装着されるまで、組立工程間に壁を所定位置に保持する一時的な支保工の使用も必要とする。一時的な支保工を使用せずに、多様な構造要素と完成された建築物に組立可能なプレキャストコンクリート構造要素を提供することが望ましい。
【００１２】
シンダーブロックなどのコンクリート建築用ブロックは通常、大きな労働力を要するモルタルアセンブリを必要とする比較的小型のユニット内に設けられて、壁と構造体を形成する。大量に現地成形され、あるいは現場にトラックで運ばれ、モルタルまたは接着剤を広域に使用せずに、多様な構造形状に組み立てることのできるより大型な構造ユニットを提供することが望ましい。
【００１３】
いったん従来の構造が完成すると、完成された建築物を改造または除去するには通常、破壊的な解体が含まれる。従来の構造においては、比較的短い工事期間を設計し、年数、位置、または不十分な初期構造のために、実用的な耐用年数の終了を満たす建築物を単純に解体するのが一般的なやり方である。こうした慣行の結果、何百万トンもの建設瓦礫が、毎年埋立地まで運ばれる。耐久力があるがコスト効率のよい構造体で建造され、従来の解体慣行に付随する資材と人材を無駄にせずに、容易に改造または除去および再利用ができるシステムを利用して建設することが望ましい。丈夫に建造された大規模な建築用ブロックの使用によって、建築物全体の大規模なリサイクルおよび再利用を可能とする建築システムを導入することが望ましい。
【発明の開示】
【発明が解決しようとする課題】
【００１４】
本発明は、構造モジュールに広い専有面積を意図的に使用するという意図せざる利点を提供する。通常の構造において、コンクリート柱や鉄骨などの支持要素は、構造体の利用可能な床面積を最大限にするために比較的小さな専有面積を有する。本発明では、広い専有面積を有するブロックおよび構造モジュールが使用される。このアプローチの利点は、現場で成形する、あるいは、管理状況下で効率的に製造し現地に配送することのできる比較的単純な平面的要素から、構造骨組を構築する能力を含む。組立の大部分は、地上で行われる。このように組み立てられる構造モジュールは、迅速に架設でき、一時的支保工なしで安定する。完成された骨組は迅速に分解され、部品を再利用することができる。基盤要素にかかる面積当たりの荷重が減るため、厚板または土台の要件が緩和される。いくつかのアプリケーションは傾斜上に組み立てることができる。多くの場合、構造モジュール内の空間にアクセスでき、その空間を有効利用できる。
【課題を解決するための手段】
【００１５】
本明細書に記載される構造のための方法と装置は、様々な構造要素を形成する同一のブロック、および完全な主構造を形成する改造されたが類似の補足的ブロックを複製し、結合することのできる、プレキャストされた強化構造建築用ブロックのシステムを提供する。その後、主構造は、製造されたブロックあるいは、プレキャストまたは骨組式の構造により包囲されて、周囲の壁と屋根を構築することができる。
【００１６】
本発明の各種実施形態において、プレキャスト構成要素は、スタック成形のような効率的に管理された環境下で製造され、多種多様な所望構造に構成可能な複数の建築要素を提供することができる。モジュラーブロックの組合せにより製造できる要素には、壁、壁の一部、支柱、屋根トラス、完成構造骨組などがある。これらの建築用ブロックは、建設現場で迅速に組み立てられ、コンクリート板、個別の土台、場合によっては直接傾斜上で支持され得る。個々のブロックまたはブロックの組合せと他のブロックの組合せとを結合することによって、様々な構造骨組および建築物を迅速に設計し、組み立てることができる。単純なボルト締めまたは噛み合わせ接合部を有する大きな製造済みのブロックを用いて建築することによって、この構造体の骨組と建築物全体も、破壊せずに改造または解体できる。
【００１７】
本発明のこれらのおよびその他の目的および利点を以下に述べ、以下の図面を参照してさらに明瞭にする。
【発明を実施するための最良の形態】
【００１８】
（実施形態の詳細な説明−プレキャストおよび骨組構造ブロック）
本発明の一実施形態の基本ブロックを、単一ブロックの立面図および等測図である図１Ａおよび図１Ｂに示す。それは、ＬａｄｄｅｒＢｌｏｃｋ（商標）がその名を由来とする建築システムの最も基本的なブロックの幾何学的配置から提供される。示されるブロック１０は、幅５フィート(約１．５３ｍ)、高さ３０フィート（約９．１５ｍ）、厚さ６インチ(約１５．２４ｃｍ)で、２つの端弦２１および２２、梁部３１から３４により画定される３つの縦開口部４１から４３を有する。このブロックは、この説明では３層ブロックと称される。一例では、本実施形態の補強コンクリート弦部は幅６”×厚さ６”（幅約１５．２４ｃｍ×厚さ約１５．２４ｃｍ）で、梁部は奥行き１２”（約３０．４８ｃｍ）×厚さ６”（約１５．２４ｃｍ）である。ブロック全体の形状、寸法、開口部の数、断面形状、補強材はそれぞれ、特定用途の実用的な限度内で調整することができる。
【００１９】
このシステムの設計は、迅速だが頑丈な建設を可能にする大規模な建築要素としての役目を果たす、同一の高品質な建築用ブロックの複製を迅速に作ることを目的とする。高品質な構造の管理と保証は、同一部品の反復製造により容易に達成可能である。通常、ブロックは、平坦に成形されてから所定位置に持ち上げられることを意図される。図２Ａは、クレーン（図示せず）などにより、上端３４で持ち上げられるブロック１０の斜視図である。図２Ｂは、第１の端弦２１により持ち上げられ、その後、端弦２２により第１の端弦に装着されるブロック１０ａで示されるように地上に組み立てられるブロック１０の斜視図である。
【００２０】
ブロックの複製は、一連のブロックを相互にスタック成形すること、あるいは、迅速な取外しと型枠の再利用を可能とする形成システムにより達成できる。ブロックは既成のコンクリート床板上で現場で成形してもよいし、予め成形し、平床型トレーラーで現場に配送してもよい。
【００２１】
（ブロックの形状）
ブロックの構成は、いくつかの方法で変更可能なため、特定用途で求められるように、設計の専門家により任意のブロック形状に操作することができる。通常、ブロックは、弦の共通部分で一体的に成形された強固な接合部を有する２つ以上の弦から成る、平坦な要素である。弦は互いに直交していてもよいし、直交していなくてもよく、土台、床、屋根要素を支持するための拡張部を提供するため、必要に応じ他の梁および弦により包囲される形状を越えて飛び出すことができる。また、ブロック弦の断面は、構造分析により必要とされる場合、厚みを増し、より強固に補強することができる。さらに、梁と弦の断面は、図３Ｂに示されるように、矩形以外の断面に変更できる。スタック成形と積層配送を可能にするのに不可欠なのは、要素を平面に保つことである。例えば、分離可能な型枠で成形される場合、図３Ｃの梁断面に示されるように、梁と弦の断面を両側から断面の中心線に向かって先細りに形成し、取外しやすくする。結果として生じる六角形は、図３Ｃに示されるように、支持部品の噛み合いに新たな機会を与える。再度図１Ａおよび図１Ｂを参照すると、実施形態の例の形状では、平行な弦間に４フィート（約１．２２ｍ）の横方向の間隙、および平行な梁間に８フィート８インチ（約２．４４ｍ約２０．３２ｃｍ）の縦方向の間隙を有する、直立ブロック内の３つの開口部が提供されている。これらの空の開口部は、各角で４インチの面取り部３８によって圧縮され、人が開口部下の梁要素により支持される床骨組を有する開口部を通過するのに必要な上方空間および横方向の間隙を提供することを目的とする。
【００２２】
上述したような寸法の多様性に加え、ベースブロックは各種ブロック構成１０ｃから１０ｇの正面図である図３Ａに示されるように、追加の様々な間隔の梁要素を導入することによって変更することができる。梁は、ブロックを通過する通路が必要ない場合、ブロックを強化する、あるいは、二次的骨組の追加支持ラインを提供するために使用することができる。図３Ａは、ブロック長、ブロック幅、ブロック内の梁の数および位置、梁または弦の断面形状などの可変性を示す。
【００２３】
梁と弦は直交している必要はない。図４は、様々なブロック形状の正面図である。例えば、ブロック１２は、傾斜した斜め支材６１の追加を含む。支材は成形スリーブにボルト締めされるように設計される鋼鉄製のアセンブリであってもよいし、モジュールに一体的に成形される強化コンクリートであってもよい。
【００２４】
ブロック１１は、斜め壁を建造する、高い横方向の力に応答してブロックを強化する、あるいは、長スパン水平枠組部材としてブロックを使用するために利用可能な、斜め弦２３の使用を示す。
【００２５】
斜め弦屋根トラス１３は、オプションの斜め支材６１を備える２つの斜め弦ブロック１１を組み立てることによって形成する、あるいは、単一ユニットとして成形することができる。
【００２６】
（二軸ブロック連結スリーブ）
一実施形態では、ブロックは、多数の機能を果たす一連の成形スリーブを組み込むように設計される。本実施形態では、スリーブは直径１．１／２”（約１．２７ｃｍ）の鋼管として示される。スリーブは、取付許容差を設けるように意図的に大きめにされる。直径１．１／２”（約３．８１ｃｍ）のスリーブを通過するネジ式ロッドコネクタの直径は通常、３／４”（約１．９０ｃｍ）から１”(約２．５４ｃｍ)の範囲内である。本実施形態では、管のスリーブ長は、弦部で６”（約１５．２４ｃｍ）、梁部で１２”（約３０．４８ｃｍ）で、１対のスリーブ１０１および１０２は、図５Ａおよび図５Ｂに示されるように、中心で互いに９０度の角度を持って仮溶接され、二軸モジュール連結スリーブ１００を形成する。
【００２７】
これらの対の連結スリーブは、各弦要素内のモジュール位置、典型的には図６に示されるような補強材１２０内の中心に配置される。土台への装着、屋根要素への装着、または、棚および床部材への装着用の垂直スリーブ１０３などのその他のスリーブも通常、ブロック補強材に含まれる。
【００２８】
本実施形態では、スリーブのペアは非対称で、図７の１対の連結スリーブ１０５および１０６に示されるように、ブロックの左端弦２２から右端弦２１まで９０度回転することができる。この回転の結果、どのレベルにある弦スリーブも第２の同一ブロック内で対応スリーブと一直線に揃うが、第２の同一ブロックの他方の弦の９０度対向面のスリーブとも一直線に揃う。例えば、ブロック１０ｉは、ブロック１０ｉに対して１８０度回転されたブロック１０ｈと、ブロック１０ｉに対して２７０度回転されたブロック１０ｊとの間に配置される。ブロックを平面で回転させることによって、後述するように、同一ブロックを相互に連結させて、様々な構成を形成することができる。他の実施形態では、スリーブ対は、後述するように対のトラスや非対称柱などのモジュールを形成するのに使用することができるように対称である。
【００２９】
ブロックの相互連結に加えて、スリーブはブロックの建設中、および組み立てられた構造において多くの機能を果たすことができる。ブロック建設中、スリーブは補強鋼材を所定位置に保持する内部チェアとしての役目を果たす。本実施形態の形成システムの一部を示す詳細斜視図である図８Ａおよび図８Ｂを参照すると、型枠２０１は、スリーブ１００を配置する内面にスリーブレシーバ１２０を組み込み、成形中に型枠を一緒に結合する簡易な方法を提供する。後述するように、型枠は、ブロックのその後のスタック成形繰り返しのため、型枠を配置する役目を果たす離間スリーブレシーバを組み込むこともできる。
【００３０】
また、スリーブは、キャストブロックを取外し、持ち上げるための結合点、および組立構造内で二次的枠組への連結ならびに二次的枠組の支持のための結合点も提供する。梁要素を通るスリーブは、支持構造へのアンカーボルト連結、中間レベルの支持枠組の連結、および枕梁要素または屋根骨組の連結の機会を提供する。
【００３１】
２つの同一で非対称のブロック間の構造間隔および相互連結が望まれる場合、図２２Ａおよび図２２Ｂに示されるように、二軸連結スリーブは、スペーサブロックの両側に一貫したスリーブ長を提供するように配向される。このような場合、二軸スリーブの配向が両側間で９０度回転されず、図２２Ｂの２９０のようにスペーサブロックの両端弦に常に配置される。
【００３２】
二軸モジュール連結スリーブでは、設計者に、反復的な同一の要素を用いて構造モジュールに建造可能な、壁ブロック、箱型柱、対ブロック、トラスなどの構造アセンブリにほぼ無制限の多様性を持たせることができる。可能な構成には、それらに限定されず、以下の構造要素が含まれる。単一ブロックは図１１に示されるように、二次的外壁骨組を横方向に支持するための低負荷柱および／または壁柱として使用することができる。１対のブロック１０ａおよび１０ｂは、図１２に示されるように、９０度の角度で連結され、「Ｌ」字状の要素を形成する。一連のブロック１０ｍから１０ｐは図１３に示されるように、モジュールスリーブを揃えるように平面でブロックを交互に１８０度回転させることによって相互に連結され、平壁を形成する。また、ブロックの組み合わせは、図１３Ｂに示されるように、任意の形状の周辺耐力壁システムを建造するのに使用することもできる。追加ブロック１０ｑから１０ｒを利用する類似のアセンブリは、図１４に示されるように、壁柱システムを形成する。一連のブロック１０ｓから１０ｖは、図１５に示されるように、相互に９０度ずつの角度で連結され、リブ状壁システムを形成する。
【００３３】
長方形または正方形の箱型柱７０は、図１６に示されるように、ブロック１０ｗから１０ｚによって構築される。正方形の箱型柱は、ブロック端の放射状の重なりにより形成され、長方形の箱型柱は外側ブロック間の対スペーサブロックにより形成される。また、非対称ブロックは、図２２Ｂに示されるように、非対称柱要素２９０を構築するのに使用することができる。
【００３４】
機械的噛み合いのような相互連結手段が、構造モジュールおよび完成モジュールとブロックとの組み合わせのために設けられる場合、他の実施形態では二軸スリーブコネクタを省略できる。
【００３５】
（断面と補強材の設計）
コンクリート断面、補強棒鋼のサイズ、および連結間隔は、所定用途に予測される設計力に基づき、建築エンジニアにより選択することができる。ブロックは、取外しおよび取扱力、重力荷重、せん断力、水平荷重、およびその他の要素とブロックとの相互作用により生じる力に安全に耐えるように設計しなければならない。このシステムは、特定用途に求められる形状、断面、および補強材の選択の際の柔軟性を、設計エンジニアに与えることを目的とする。
【００３６】
（ブロックの構造）
本実施形態では、スタック成形ブロックの建設順序が、容易かつ迅速に架設される構造を生むように設計される。上述したように、スリーブアセンブリは予め切断され、仮溶接される。ブロック用の典型的な補強材の正面図である図９を参照すると、補強鉄骨２２０は異形鉄筋またはワイヤ枕木を用いてユニットに結合される。枕木は標準的な並枕木であってもよいし、図示されるように螺旋枕木２２５であってもよい。
【００３７】
図１０Ａから図１０Ｅは、スタック成形手順を示す。図１０Ａは、スタック成形順序における補強鉄骨ステップの斜視図である。補強鉄筋は、間隔をあけ、スリーブアセンブリ１００により所定位置に保持され、次に、型枠２０１に搭載されるスリーブレシーバ１２０により所定位置に保持される。図１０Ｂは、スタック成形順序における第１レベル型枠結合ステップの斜視図である。結合された鉄骨２２０が、型枠２０１、２０２内に配置された後、スリーブレシーバ１２０、ネジロッド２１０は一時的にスリーブおよび型枠を介して配置され、ナットがロッド上で締められて側方の型枠を共に結び付ける。図１０Ｃは、スタック成形順序における第１レベルコンクリート成形ステップの斜視図である。スタック内の最初のブロック２４０に関しては、型枠のセットは一時的にキャスト厚板または表面に固着されてよい。キャスト厚板コンクリートと要素間の結合は、キャスト面に塗布されるシート膜または一般的なボンドブレーカの使用により防止される。図１０Ｄは、スタック成形順序における反転型枠ステップの斜視図である。第１のブロック２４０の成形と最初の硬化後、型枠が取り外され、ボンドブレーカがキャストブロックの上面に塗布される。図１０Ｅは、スタック成形順序における次レベル準備ステップの斜視図である。本実施形態の形成システムは、スタック成形を簡易化するように設計されており、最初のキャストと離間スリーブレシーバが第１のブロック２４０内のキャストスリーブ上で「カチッとはめこまれた」後に型枠部２０１、２０２が反転されるように、延長タブ２０８と離間スリーブレシーバ  １２０を組み込むことができる。これが、第２のブロックのためにスリーブと補強鉄骨を受け入れるように、正しい位置にスリーブレシーバを位置決めする。このシステムにより、複数のブロックを迅速かつ容易に、相互にスタック成形し、一貫して複製することができる。
【００３８】
（骨組部品）
ＬａｄｄｅｒＢｌｏｃｋ（商標）建設システムは、図１に示されるように設定される建築物の最も基本的なブロックをその名の由来とする。骨組システムは、高層の強固な骨組を形成する平面要素からなり、図２０Ａから図２０Ｉに示されるような複数の水平セルを有する複数層であってもよい。
【００３９】
図２０Ａから図２０Ｉは、平面構造ブロックの代表的形状である。図２０Ａは、両側に片側梁延伸部５０を有する上梁３４を含む単層ブロック２３０などの単純な矩形ブロックを示す。
【００４０】
図２０Ｂは、中間梁３２の両側に片側梁延伸部５０を有する矩形ブロックを示す。
【００４１】
図２０Ｃは、片側梁延伸部５０を有する、より高い矩形３層ブロック２３４を示し、通常これらの片側梁延伸部は軸受支えとしての役目を果たし、連結する床ブロック（図示せず）の下梁で凹部を占めるように設計される。
【００４２】
図２０Ｄは、第１の端弦２１、第２の端弦２２、中間弦２３、第１の端弦と中間弦の間の第１の上梁３６、および第２の端弦と中間弦の間の第２の上梁３５を含む、段形ブロック２３６を示す。通常、第２の上梁３５は、高い屋根構造要素を支持するのに使用される。第１の上梁３６は、低い斜面の屋根を支持するのに使用される。
【００４３】
図２０Ｅは、つまずく危険なしに歩行者が行き来できるように、基梁が省略された開放矩形ブロック２３８を示す。
【００４４】
図２０Ｆは、上梁３４からの斜めの片側梁延伸部５２を含む矩形要素２４０を示す。上梁３４と延伸部５２のこの組合せは、張り出しのある高屋根を支持するのに使用される。
【００４５】
図２０Ｇは、斜めの上梁３４を含む簡易なブロックを示す。図２０Ｈは、２つの斜めの上梁３５および３６と中間梁２３を有する段形ブロック２４４を示す。この上梁構造は、対抗するスロープと採光のための高窓のある平面屋根ブロックを提供する。
【００４６】
図２０Ｉは、第１の側端弦２１、オフセット延伸部５１、上梁延伸部５２、および中間梁延伸部５０を有する平面ブロック２４６を示す。これらの延伸部の端部は、縦弦２４により連結される。オフセット延伸部５１が面の上にある場合もあれば、面の下にある場合もある。基梁３１が支持土台に荷重を分布する一方で、オフセット延伸部５１は厚板の上部と同じ高さで、低い方の延伸部の上部で支持土台の端部を越えて飛び出すことを目的とする。第１の端弦２１と第２の端弦２２は、第１の端弦が厚板に張り出すように、厚板に載っていてもよい。他の実施形態では、２つの端弦が異なる土台に載ることができる。
【００４７】
図２１Ａは、第１の端弦２１、上梁３４、および基梁３１を有する基本的な三角形ブロック２６０を示す。
【００４８】
図２１Ｂは、第１のフランジ２８１と第２のフランジ２８２を有するウィッシュボーンスペーサ２８０を示す。
【００４９】
図２１Ｃは、第１の端弦３０１および第２の端弦３０２、基梁３１１、および分割上弦３０４、３０５、３０６、３０７を有する分割アーク屋根トラス３００を示す。この例では、屋根トラスが、トラス支持部で水平支持面を提供するために通常使用されるノッチまたは切欠き３０３を含む。再度図２０Ｆを参照すると、第１の端弦２１は、水平支持面を提供する延伸部２８を有する。
【００５０】
図２１Ｄは、分割アーチ上弦３２０、鉄枕木３２１、支持シート３２４、テーパキー３２２を有する連結弓弦トラス３１９を示す。
【００５１】
図２１Ｅは、側梁４０１および４０２、箱型柱分割ポケット４０３および４０４、クロス梁４０５、テーパキーレシーバ４０６を有する枕梁要素４００の斜視図である。図２１Ｆは、枕梁要素４００の下側を示す。
【００５２】
図２１Ｇは、側梁４０１を組み込む角枕梁要素４１０を示す。枕梁要素の端部４１３は通常、箱型柱の上に中心があるため、端部４１２と４１３は角箱型柱の上で交わる。図２１Ｈは、角枕梁要素４１０の下側を示す。
【００５３】
図２１Ｉと２１Ｊは、簡易なクロス梁４０５、分割箱型柱ポケット４０４、箱型柱の上に中心がある箱型柱ポケット４２０、片側梁延伸部４２２を特徴とする別の実施形態の枕梁要素４０９の上面図と下面図である。
【００５４】
（実施形態の詳細な説明−構造モジュール）
一実施形態では、これらの構造ブロックは通常、図１６や後述する他の例に示される箱型柱７０などの構造モジュールに結合される。
【００５５】
図２２Ａは、ウィッシュボーンスペーサ２８０により接合される１対の分割アーク屋根トラス３００を備える対の屋根トラスモジュール４４０の展開斜視図である。この例では、分割アーク屋根トラスはウィッシュボーンスペーサにより厳密に平行に位置合わせされて保持されるため、地上で予め組み立てられ、ユニットとして所定位置に持ち上げられることのできる水平方向に安定した構造モジュールを形成する。この例では、モジュールは、梁または弦要素３０８を貫通して挿入されるネジ式コネクタと、２８１のようなウィッシュスペーサフランジとにより組み立てられる。その他の連結スキームを使用してもよい。
【００５６】
図２２Ｂは、１対の段形ブロック２４６、矩形ブロック２４８、ボルト締め端弦延伸部２９１および２９２を有する矩形ブロック２９０により形成される非対称箱型柱４５０を示す。ボルト締め端弦延伸部は、段形ブロック２４６の端弦延伸部２８と連動して機能し、対の屋根トラスモジュール４４０のためのキーのあるボルト締め支持シートを形成する。この接合は、図２８の斜視図に示される。
【００５７】
一実施形態は、構造モジュールを連結して完成した建築物構造を形成する少なくとも２つの基本的な方法を採用する。図１８と図３２Ｂに示されるように、１つ目の方法は、個々の屋根ブロックを支持する７０または４５０のようなベースモジュール、あるいは１５または４４０などのモジュールとして特徴付けることができる。２つ目の方法は、図３３Ｄおよび図３５Ｂに示されるように、一連のより密接な間隔をおいた屋根骨組ブロックを支える、ベースモジュール間を橋渡しし、ベースモジュールに載る、図２１Ｅおよび図２１Ｉの４００および４０９などの枕梁ブロックを組み込む。
【００５８】
（実施形態の詳細な説明−壁ブロック）
図２３Ａは、軽量金属壁骨組、内表面４６２、および外表面４６１を備える骨組壁ブロック４６０を示す。ブロックの両面の金属壁ブロックは、仕上げ面と、ブロックを取り扱うための応力外皮パネル剛性とを提供する。利用可能な材料の最も効率的な使用を通常重視する設計環境では、工業用建物内の壁要素の両面に金属パネルを使用することは非自明である。内皮の導入は、応力外皮パネルを作成することによって大きな利点を生み出す。同パネルは構造上の冗長性を備え、ブロック上の引上げおよび取扱力に対抗し、反応を個々の単純な接合部に運び返すのに十分な耐久性を有するため、組立および分解を簡易化しスピードアップさせる。この特徴によって、埋立地を訪れることなく建築物を大量にリサイクルできるだけでなく、緊急退避シェルタの場合のように、必要に応じて高品質な建築物を迅速に架設できる。図２３Ｂは、図２３Ａに示される壁ブロックの内部を示す。
【００５９】
図２３Ｃは、プレキャスト壁ブロックの３つの変形４７０、４７１、および４７２の外面を示し、積層された石を真似た成形パターンを図示している。図２３Ｄは、その３つのブロックの内部を示す図である。これらのブロックは、ＬａｄｄｅｒＢｌｏｃｋ骨組の梁要素と噛み合う４７３のようなフランジを特徴とする。別の実施形態では、ボルト締めされたフランジ連結部の代わりにＬａｄｄｅｒＢｌｏｃｋスリーブを介して、キーのある噛み合い連結部が省略される。
【００６０】
図２３Ｅは、ヒンジ壁ブロック４７５である。図２４Ａは、別の実施形態の骨組壁ブロック４６４の内部枠組４６５である。枠組は、通常箱型柱の梁と係合する屈曲板クリップ４６６を含む。図２４Ｂは、内メッキ層および外メッキ層が装着された図２４Ａの骨組壁ブロックを示す。
【００６１】
図２５Ａは、開放箱型柱上で組み立てられた壁ブロックの斜視図である。壁ブロック４６４は、開放箱型柱４５１の一部であるＬａｄｄｅｒＢｌｏｃｋ２４８のクロス梁３２に吊るすことができる。図２５Ｂは、この吊り連結の詳細図である。屋根要素により上方移動を制限される重いプレキャスト壁ブロックと骨組壁ブロックは、ベース構造との連結のための噛み合いにのみ頼るが、これらの基準を満たさない壁ブロックは、高い風力荷重下での能力を確保するため、支持構造にボルト締めされる。
【００６２】
（実施形態の詳細な説明−屋根ブロック）
図２６Ａは、プレキャスト屋根ブロック４８０および４８２の上面図である。図２６Ｂは、これらの同じブロックの下面図であり、梁４８４の上り坂にあるテーパ梁４８１を示す。これらの梁は根太４８３を支える役目を果たし、支持シート４８５でＬａｄｄｅｒＢｌｏｃｋモジュール梁上に載る。大部分の用途では、プレキャスト屋根ブロックの質量と噛み合いが支持構造に対する十分な結合度を提供するため、機械的コネクタは必要でない。
【００６３】
図２７Ａは、骨組屋根ブロック４９０の鉄骨骨組４９２の斜視図である。これらの比較的軽量のブロックは、風の上昇圧力に耐えるためにボルト締め連結クリップ４９３を必要とする。これらのクリップは、図２７Ａで骨組の下側から突出しているように見える。図２７Ｂは、金属パネルが装着された骨組屋根ブロック４９０の斜視図である。４６０のような骨組壁ブロックと同様、骨組屋根ブロック４９０は通常、ブロックの上昇と取扱を可能とする構造上の内皮と外皮を組み込む。図２７Ｃは、ボルト締め連結クリップｂの詳細図であり、図２７Ｄは完成した屋根ブロック４９０の下面図である。
【００６４】
図２８は、図２２Ｂに示される非対称柱４５０上の屋根ブロック４９０のアセンブリを示す。屋根ブロックは、ボルト締め連結クリップ４９３で、段形ブロック２４６の上梁３４に搭載される。
【００６５】
（実施形態の詳細な説明−床ブロック）
図２９Ａは、床支持ブロック４９６を支えるボルト締めハンチ７６で装着され、次に骨組床ブロック４９４を支持する２つの箱型柱７０のアセンブリを示す。ボルト締めハンチ７６は、図３３Ｂで詳細に示す。
【００６６】
図２９Ｂは、それぞれ１対のブロック２３２および１対の矩形ブロック１０から成る３つの翼状箱型柱７４を示す。翼状箱型柱は、２個の噛み合うプレキャスト床ブロック４８６の内部への広がりと、１個のプレキャスト床端ブロック４８８を支持するように示される。図２９Ｃは、これら２つの床ブロックの上面図であり、図２９Ｄは同ブロックの下面図である。これらのプレキャスト床のブロックの下側の梁構造は、ブロック２３２の片側梁延伸部を支えるための受入ポケット４８９を形成する。
【００６７】
図３０Ａは、内部ブロック５００、嵌込み骨組５０６、および嵌込み板５０４から成る３部プレキャスト床ブロックアセンブリの展開図である。図３０Ｂは、段形ブロック５１０に装着されたこのプレキャストアセンブリの下面図である。
【００６８】
（実施形態の詳細な説明−モジュールの架設）
成形の完了後、コンクリートが引上げおよび取扱の力に抵抗するのに必要な強度を得るまで、ブロックは硬化される。最初の引上げ操作は、要素の成形下面にかかる吸引および／または結合力を遮断しなければならない。取外し力は、ブロックが受ける最も大きな荷重を表すかもしれない。（図２Ａに示されるように）要素に損傷を与えずに、上部引上スリーブから取外すには細すぎるブロックでは、（図２Ｂに示されるように）いくつかの弦スリーブから同時に引き上げるストロングバックを用いて取り外しを行うことができる。いったんブロックが成形面、典型的には成形厚板または基礎をなすスタック成形要素から離れて分断されると、ブロックは引上げ点として成形スリーブを利用するクレーンの索具により垂直位置に引き上げられる。細いブロックは引上げ時にストロングバックを必要としてもよく、あるいは、まだ平坦に寝かされている間に１つ以上の垂直ブロックと連結されてもよい。
【００６９】
相互連結ブロックから成る補強構造は、架設がより容易である。引上げ応力による破損の可能性が軽減され、構造アセンブリは、仮留めの必要なく独立して安定する可能性が高い。実施形態の例の重量は約３，５００ｌｂで、４ブロックの箱型柱の重量は７トンであるため、これらの要素を持ち上げるには軽量のクレーンしか必要ではない。
【００７０】
引き上げた後、ブロックまたはアセンブリは、所定位置に設定される。次に図１１を参照すると、厚板５０の基盤の接合部は、ベーススリーブ１０３を貫通し、大き目の面板または拡張板と組み合わせてナットを使用し張力をかけられた、前もってセットしたアンカーボルトまたはドリルド、エポキシまたはグラウトセットネジ式ロッドから構成することができる。構造モジュールに組み立てられていない架設済みのブロックは、他の安定したブロックとの直接連結により、ブロックの面に垂直な斜め支材を用いて一時的に留めることができる。だが、このシステムを使用する好適な建設方法は、引上げ前に複数ブロックを独立して安定したモジュールに組み立てることから成る。必要とされる場合、仮支材はモジュールスリーブと仮アンカーを用いて厚板に連結することができる。最終的な構造は通常、二次的部材５２を介する垂直ブロックまたは水平筋かいの連結アセンブリを採用する。ブロックの連結は、モジュール連結スリーブを貫通する通常長のネジ式ロッドと組み合わせて面板およびナットを使用して達成される。壁ガート、屋根の棟木、またはその他の骨組などの二次的要素も、同様にモジュール連結スリーブに連結することができる。このシステムの壁、床、および屋根ブロックを組み込む建築物では、ガートと棟木は、地上で建造され、軽量クレーンで所定位置に引き上げられ、連結手段あるいは簡易なボルト締めまたは噛み合い接合部である構造骨組に連結される構造のブロックと置き換えられる。
【００７１】
このシステムは、固有の水平安定性および柔軟な範囲の二次的機能性の可能性を有する要素を提供すると同時に、力が、構造アセンブリの基部で比較的広い面積に分布され、屋根骨組や単一箱型柱アセンブリ上に置かれる橋形クレーン用レールけたなどの、アセンブリの上部で複数のソースからかかる力を受け入れるように設計される。例えば、ブロックは中間床または産業用棚を設けることができ、閉箱型柱部は、保管空間、機械室、休憩室、エレベータ、またはその他の建物機能を収容することができる。
【００７２】
（耐荷力）
ＬａｄｄｅｒＢｌｏｃｋ建設システムは、大部分の従来の建築システムが支えるよりも、ずっと大きな荷重を安全に支えることのできる経済的な構造の建設を可能とするように、設計されている。建築法規に定められる最低荷重に耐えるのに必要な分を大幅に超える構造上の能力を設ける建築物により、建設された構造の機能性と汎用性に新たな機会が創出される。この構造の建築物は通常、高荷重の床を支え、重量のヒンジパネルを使用可能な壁を支持し、巻上げシステムの支持を提供し、元の構造を変更せずに更なるレベルの床構造を設けることができる。この予備構造能力は、同一の予め製造されたブロックの地上レベルでの簡易かつ反復的な建設により、経済的に実現される。
【００７３】
（建設の安定性と速度）
ブロックは様々な構成で組み合わせることが可能だが、この建築システムで有効な基本的方法は、製造されたブロックを相互に連結し、個々に安定した構造モジュールを形成することである。これらのモジュールは一般的に３次元の多面骨組を形成する。プレキャストブロックはふつう、部材の共通部分での強固な接合を伴う開放枠組である。それらのブロックはコンクリートなどの構造級の成形可能な材料から作られ、所定の用途に関する工学分析で示されるとおり、鉄筋などで補強される。プレキャスト骨組ブロックは、個々に安定した構造モジュールを形成するために容易に相互連結されるように設計される。これは、傾斜壁構造で必要とされるように、巻上げ線を緩める前に仮水平筋かいを必要とせず、軽量クレーンで所定位置に設定し、直ちに取り外すことのできる構造モジュールの建設を可能とする。この特徴により、高価な起重時間を非常に効率的に利用でき、固定されている間、元々不安定な部品を安定させる必要がない場合、クレーンが設定構成を継続することができる。支持構造に求められるように、いったん所定位置に設定され固定されれば、独立した構造ベースモジュールは、開放されているが安定し、構造上冗長性を備える枠組で重力と水平荷重の両方に耐える役目を果たす。
【００７４】
（建設の安全性）
独立ベースモジュールは通常、一般的にそれ自体独立して安定するその他の組立前モジュールから成る屋根および／または床構造と相互連結される。独立モジュールは、水平方向の安定性のために水平筋かいまたは耐震壁に頼る従来の構造と対照的に、一時的な支保工または筋かいの必要なく架設し、安定させることのできる大規模な建築用ブロックを有効に製造することができる。相互連結されたプレキャスト部品でできた大型で、個々に安定したブロックを建造することによって、より迅速かつ安全に建設を進めることができる。水平筋かいと支保工の必要性を除去することによって、多くの建設事故の原因となる障害物が建設現場から除かれる。ＬａｄｄｅｒＢｌｏｃｋ部品は地上で建造され、通常地上でモジュールに相互連結されるため、高架作業とそれに付随する落下の危険性を最小限に抑えられる。個々に安定したブロックでの建設により提供される構造上の冗長性は、倒壊を引き起こす過荷重を受ける場合、建物全体の性能を大幅に向上させるはずである。冗長性は、建築物構造の漸進的で、全体的な倒壊に対する最善の保険である。
【００７５】
（基盤への力の分布）
利用可能な床面積を保全するため力を集中させる従来の建築技術とは対照的に、このシステムは、支持面にかかる応力を最小限に抑える、広い基盤全体にかかる力を意図的に分布させる。構造要素により包囲される容積がそれ自体利用可能な空間となるように、広くこの基盤を建造することによって、この構造上の利点は同時に他の機能上の利点も提供する。
【００７６】
基盤への力の広範な分布と、それに伴う基盤への圧力の低下により、容量を有する類似の荷重が特別かつ高価な土台を必要とする場合、一般的にＬａｄｄｅｒＢｌｏｃｋ構造モジュールは、硬化された厚板などの上で直接支持することができる。建築物が高くなればなるほど、建築物は構造体の基部でせん断力と転倒モーメントを生じる、より大きな風圧と風力に耐えなければならない。これらの転倒モーメントは広範な基盤全体にも分布されるため、ＬａｄｄｅｒＢｌｏｃｋ構造モジュールの基部で転倒に耐えるのに必要な連結接合部は、その他に必要とされるかもしれない構造よりも軽量で安価にすることができる。支持構造が十分な重量を有し、地震荷重を受けない場合、全く連結を必要としない。構造体を建造するＬａｄｄｅｒＢｌｏｃｋ部品の選択、構造を通過する荷重経路の分析、および連結要件に関する決定はすべて、所定用途に関して全体構造の必須の構造上の工学分析に従う。
【００７７】
構造モジュールが連結される支持面は、構造の基礎となる層または硬化コンクリート板で構成することができる。軽使用、低上昇の構造では、支持面は、適切な指示能力と安定性を呈する、単に締め固め盛り土または天然土から構成することができる。
【００７８】
ブロックのアセンブリは、建築物の主構造システムの機能を超える機能で利用することができる。ブロック柱、対、または個々のブロック間の梁要素７５および７６は、図１７に示されるように、占有床面積または大規模工業用棚空間の中間レベルを支持するために利用することができる。適切な寸法の箱型柱７０内の縦軸は、エレベータの枠組、フォークリフトで積むことのできる多レベル保管室、あるいは、機械的、電気的、または配管システム用のプレナムとして利用することができる。さらに、ブロックのアセンブリは、追加構造を必要とせずに、橋形クレーン、ジブホイスト、およびその他の引揚装置を支持する、必須の構造上の性能を提供することができる。
【００７９】
（実施形態の詳細な説明−構造骨組および外郭構造）
図１８は、このシステムを使用して建造された完成主構造骨組のサンプルを示す。その例では、複数の箱型柱７０が屋根トラス１５を支持する。壁ブロックおよび屋根ブロックなどの追加要素は、構造骨組に装着することができる。
【００８０】
図１９は、屋根の棟木１８および壁ガート１９の形で二次的枠組を保持する、建物外層を完成させる残りの二次的骨組および外郭構造を装着する前の図１８の骨組を示す。
【００８１】
図３１Ａから図３１Ｄは、包囲された外郭構造のアセンブリの順序を示す。この例では、図３１Ａに示される３つのモジュール５２０は、堅め盛り土パッドなどの支持面で支持される。これらのモジュール５２０のそれぞれは、段形ブロック２４４と２つの矩形ブロック２４３および２４５から成る。所定位置にセットされ、図３１Ｂに示されるように床ブロック４９４および４９６を、図３１Ｃに示されるように壁ブロック５２２、５２４、および５２６を、図３Ｄに示されるように屋根ブロック５２８、５２９を受け入れる準備ができたとき、ブロックは安定し、自立する。
【００８２】
別の例を、図３２Ａから図３２Ｄに示す。この例では、６つのモジュール４５０は、部分的に厚板５４０から突き出るようにセットされる。図３２Ｂは、壁および屋根ブロックの設置前の、停止アクセス床ブロック５４１および対の屋根トラスモジュール４４０を示す。図３２Ｃは、設置された壁ブロック５４２および５４３、高窓ブロック５４４、壁ヘッダブロック５４５、滑り戸ブロック５４６を示す。図３２Ｄは、屋根ブロック５５０の設置により完成する包囲された外郭構造を示す。
【００８３】
図３３Ａから図３３Ｅは、２上位レベルの骨組床ブロック４９４を支持する箱型柱７０の開放工業用建物の外郭構造を表し、階段ユニット４９７を受け入れる通路床ブロック４９５を示す。図３３Ａは、架設された箱型柱を示し、図３３Ｂはボルト締めハンチの詳細図であり、図３３Ｃは骨組床ブロック４９４を支える箱型柱７０を示す。図３３Ｄは、連結弓形トラス３１９を支える立体枕梁ブロック４０８を有する主枠組を示す。図３３Ｅは、プレキャスト壁ブロック５５２、金属壁脚柱５５４、および金属屋根デッキ５５８の設置後、ほぼ完成された構造を示す。
【００８４】
図３４Ａおよび３４Ｂは、厚板５４０、箱型柱７０、および様々な高さの翼状箱型柱５６０、５６２、５６４の組合せを含む多レベル外郭構造の別の例を示す。これらの箱型柱は、床モジュール４８６および４８８、枕梁ブロック４０９を支持する。また、箱型柱はヒンジ壁ブロック４７５も支持する。
【００８５】
図３５Ａから図３５Ｄは、外郭構造の別の例を示す。この例では、箱型柱７０と非対称ウォークスルー箱型柱５８０が設けられる。ウォークスルー箱型柱５８０は、箱型柱の内部への歩行アクセスを提供し、この空間を利用できるようにする。枕梁要素４００と角枕梁要素４１０は、３１９のような屋根トラスを支持するために使用される。非対称箱型柱５８０は、低い屋根での耐火構造を提供するコンクリート屋根ブロック４８０および４８２を支持する。図３５Ｄに示される上屋根は、骨組屋根ブロック４９０と高窓屋根ブロック４９９から成る。
【図面の簡単な説明】
【００８６】
【図１Ａ】単一ブロックの立面図である。
【図１Ｂ】図１Ａのブロックの等測図である。
【図２Ａ】上端により持ち上げられるブロックの斜視図である。
【図２Ｂ】第１の端弦により持ち上げられ、地上で組み立てられるブロックの斜視図である。
【図３Ａ】各種ブロック構造の正面図である。
【図３Ｂ】矩形梁の断面図である。
【図３Ｃ】六面多角形梁の断面図である。
【図４】様々なブロック形状の正面図である。
【図５Ａ】二軸ブロック連結スリーブの正面図である。
【図５Ｂ】二軸ブロック連結スリーブの斜視図である。
【図６】ブロック補強材の一部の斜視図である。
【図７】二軸スリーブを有するブロックの配置と連結を示す斜視図である。
【図８Ａ】スリーブレシーバを有する形状の一部の詳細斜視図である。
【図８Ｂ】スリーブおよびスリーブレシーバを有する形状の一部の詳細斜視図である。
【図９】ブロックの典型的な補強材の正面図である。
【図１０Ａ】スタック成形順序の補強鉄骨ステップの斜視図である。
【図１０Ｂ】スタック成形順序における第１レベル型枠結合ステップの斜視図である。
【図１０Ｃ】スタック成形順序における第１レベルコンクリート成形ステップの斜視図である。
【図１０Ｄ】スタック成形順序における反転型枠ステップの斜視図である。
【図１０Ｅ】スタック成形順序における次レベル準備ステップの斜視図である。
【図１１】ベーススリーブを通るコネクタで表面に装着される複数のブロック柱の斜視図である。
【図１２】「Ｌ」字状要素を形成する１対のブロックの斜視図である。
【図１３Ａ】平壁を形成する複数のブロックの斜視図である。
【図１３Ｂ】任意のレイアウトの周壁システムを形成する複数ブロックの斜視図である。
【図１４】柱壁を形成する複数ブロックの斜視図である。
【図１５】リブ状壁を形成する複数ブロックの斜視図である。
【図１６】正方形および長方形の箱型柱を形成する複数ブロックの斜視図である。
【図１７】鉄骨の床骨組ブロックを支持する箱型柱の斜視図である。
【図１８】個々の枕梁要素上の屋根トラスを支持する箱型柱を有する、完成主構造骨組の斜視図である。
【図１９】軽量形鋼二次的骨組を設ける図１８の骨組を示す図である。
【図２０Ａ】第２レベルで片側梁延伸部を有する１層ブロックを示す図である。
【図２０Ｂ】第２レベルで片側梁延伸部を有する２層ブロックを示す図である。
【図２０Ｃ】第２レベルで片側梁延伸部を有する３層ブロックを示す図である。
【図２０Ｄ】片流れ屋根を支える水平壁を備え、歩行者の通行のために基梁を省略した３層ブロックを示す図である。
【図２０Ｅ】歩行者の通行のために下弦を省略した２層ブロックを示す図である。
【図２０Ｆ】片側梁延伸部と屋根ブロック支持のための斜めの上弦を有する３層ブロックを示す図である。
【図２０Ｇ】斜めの上弦を有する１層ブロックを示す図である。
【図２０Ｈ】段形の２つの斜め上弦を有する１層ブロックを示す図である。
【図２０Ｉ】落差床を受け入れる段形下弦と屋根ブロック支持のための斜め上弦を有する２層ブロックを示す図である。
【図２１Ａ】三角形ブロックを示す図である。
【図２１Ｂ】２つの隣接ブロックを１つのモジュールに連結するためのウィッシュボーンスペーサブロックを示す図である。
【図２１Ｃ】分割アーク上弦を有する屋根トラスブロックを示す図である。
【図２１Ｄ】鉄枕木ロッドを有する弓弦トラスブロックを示す図である。
【図２１Ｅ】角枕梁ブロックの斜視図である。
【図２１Ｆ】図２１Ｅに示されるブロックの下面図である。
【図２１Ｇ】側梁を組み込む角枕梁要素を示す図である。
【図２１Ｈ】角枕梁要素の下側を示す図である。
【図２１Ｉ】別の実施形態の枕梁要素の上面図である。
【図２１Ｊ】別の実施形態の枕梁要素の下面図である。
【図２２Ａ】対の屋根トラスモジュールの展開斜視図である。
【図２２Ｂ】非対称箱型柱を示す図である。
【図２３Ａ】軽量金属壁骨組を有する骨組壁ブロックを示す図である。
【図２３Ｂ】図２３Ａに示される壁ブロックの内面図である。
【図２３Ｃ】積層された石を真似た成形パターンを示すプレキャスト壁ブロックの３つの変形の外面図である。
【図２３Ｄ】３つの変形のプレキャスト壁ブロックの内部を示す図である。
【図２３Ｅ】ヒンジ壁ブロックを示す図である。
【図２４Ａ】骨組壁ブロックの内部枠組の図である。
【図２４Ｂ】内メッキ層および外メッキ層が装着された図２４Ａの骨組壁ブロックの図である。
【図２５Ａ】開放箱型柱上で組み立てられた壁ブロックの斜視図である。
【図２５Ｂ】吊り連結の詳細図である。
【図２６Ａ】プレキャスト屋根ブロックの上面図である。
【図２６Ｂ】プレキャスト屋根ブロックの下面図である。
【図２７Ａ】骨組屋根ブロックの鉄骨枠組の斜視図である。
【図２７Ｂ】金属パネルを装着された骨組屋根ブロックの斜視図である。
【図２７Ｃ】ボルト締め連結クリップの詳細図である。
【図２７Ｄ】完成屋根ブロックの下面図である。
【図２８】非対称柱上の屋根ブロックのアセンブリを示す図である。
【図２９Ａ】床支持ブロックを支えるボルト締めハンチで装着される２つの箱型柱のアセンブリを示す図である。
【図２９Ｂ】プレキャスト床ブロックを支持する３つの翼状箱型柱を示す図である。
【図２９Ｃ】２つのプレキャスト床ブロックの上面図である。
【図２９Ｄ】２つのプレキャスト床ブロックの下面図である。
【図３０Ａ】３部プレキャスト床ブロックアセンブリの展開図である。
【図３０Ｂ】プレキャスト床ブロックアセンブリの下面図である。
【図３１Ａ】外郭構造の組立を開始するために使用される３つのモジュールを示す図である。
【図３１Ｂ】設置された床ブロックを伴う３つのモジュールを示す図である。
【図３１Ｃ】外郭構造に追加される、設置された壁ブロックを伴う３つのモジュールを示す図である。
【図３１Ｄ】屋根ブロックを有する完成された外郭構造を示す図である。
【図３２Ａ】外郭構造を建造するために使用される、張り出しを有する厚板上の６つのモジュールを示す図である。
【図３２Ｂ】停止アクセス床ブロックおよび対の屋根トラスモジュールの追加を示す図である。
【図３２Ｃ】設置された壁ブロック、高窓ブロック、壁ヘッダブロック、および滑り戸ブロックを追加している。
【図３２Ｄ】屋根ブロックの設置により完成された包囲外郭構造を示す図である。
【図３３Ａ】外郭構造を組み立てるために使用される、厚板上に位置する１２個の箱型柱を示す図である。
【図３３Ｂ】ボルト締めハンチの詳細図である。
【図３３Ｃ】骨組床ブロックを支える箱型柱モジュールの斜視図である。
【図３３Ｄ】連結弓形トラスを支える固体枕梁ブロックを有する主構造を示す図である。
【図３３Ｅ】プレキャスト壁ブロック、金属壁脚柱、および金属屋根デッキの設置後、ほぼ完成された構造を示す。
【図３４Ａ】厚板、箱型柱、様々な高さの各種翼状箱型柱を有する多レベル外郭構造の例を示す図である。
【図３４Ｂ】枕梁ブロック、床モジュール、およびヒンジ壁ブロックを追加した多レベル外郭構造の例を示す図である。
【図３５Ａ】両端に簡易な箱型柱を有する、厚板上のウォークスルー箱型柱の例を示す図である。
【図３５Ｂ】ウォークスルー箱型柱と箱型柱への角枕梁要素と枕梁要素の追加を示す図である。
【図３５Ｃ】組み立てられた構造への壁および低屋根ブロックの追加を示す図である。
【図３５Ｄ】骨組屋根ブロックと高窓屋根ブロックから成る上屋根を示す図である。
【図１Ａ】
2006502330.tif 000003
【図１Ｂ】
2006502330.tif 000004
【図２Ａ】
2006502330.tif 000005
【図２Ｂ】
2006502330.tif 000006
【図３Ａ】
2006502330.tif 000007
【図３Ｂ】
2006502330.tif 000008
【図３Ｃ】
2006502330.tif 000009
【図４】
2006502330.tif 000010
【図５Ａ】
2006502330.tif 000011
【図５Ｂ】
2006502330.tif 000012
【図６】
2006502330.tif 000013
【図７】
2006502330.tif 000014
【図８Ａ】
2006502330.tif 000015
【図８Ｂ】
2006502330.tif 000016
【図９】
2006502330.tif 000017
【図１０Ａ】
2006502330.tif 000018
【図１０Ｂ】
2006502330.tif 000019
【図１０Ｃ】
2006502330.tif 000020
【図１０Ｄ】
2006502330.tif 000021
【図１０Ｅ】
2006502330.tif 000022
【図１１】
2006502330.tif 000023
【図１２】
2006502330.tif 000024
【図１３Ａ】
2006502330.tif 000025
【図１３Ｂ】
2006502330.tif 000026
【図１４】
2006502330.tif 000027
【図１５】
2006502330.tif 000028
【図１６】
2006502330.tif 000029
【図１７】
2006502330.tif 000030
【図１８】
2006502330.tif 000031
【図１９】
2006502330.tif 000032
【図２０Ａ】
2006502330.tif 000033
【図２０Ｂ】
2006502330.tif 000034
【図２０Ｃ】
2006502330.tif 000035
【図２０Ｄ】
2006502330.tif 000036
【図２０Ｅ】
2006502330.tif 000037
【図２０Ｆ】
2006502330.tif 000038
【図２０Ｇ】
2006502330.tif 000039
【図２０Ｈ】
2006502330.tif 000040
【図２０Ｉ】
2006502330.tif 000041
【図２１Ａ】
2006502330.tif 000042
【図２１Ｂ】
2006502330.tif 000043
【図２１Ｃ】
2006502330.tif 000044
【図２１Ｄ】
2006502330.tif 000045
【図２１Ｅ】
2006502330.tif 000046
【図２１Ｆ】
2006502330.tif 000047
【図２１Ｇ】
2006502330.tif 000048
【図２１Ｈ】
2006502330.tif 000049
【図２１Ｉ】
2006502330.tif 000050
【図２１Ｊ】
2006502330.tif 000051
【図２２Ａ】
2006502330.tif 000052
【図２２Ｂ】
2006502330.tif 000053
【図２３Ａ】
2006502330.tif 000054
【図２３Ｂ】
2006502330.tif 000055
【図２３Ｃ】
2006502330.tif 000056
【図２３Ｄ】
2006502330.tif 000057
【図２３Ｅ】
2006502330.tif 000058
【図２４Ａ】
2006502330.tif 000059
【図２４Ｂ】
2006502330.tif 000060
【図２５Ａ】
2006502330.tif 000061
【図２５Ｂ】
2006502330.tif 000062
【図２６Ａ】
2006502330.tif 000063
【図２６Ｂ】
2006502330.tif 000064
【図２７Ａ】
2006502330.tif 000065
【図２７Ｂ】
2006502330.tif 000066
【図２７Ｃ】
2006502330.tif 000067
【図２７Ｄ】
2006502330.tif 000068
【図２８】
2006502330.tif 000069
【図２９Ａ】
2006502330.tif 000070
【図２９Ｂ】
2006502330.tif 000071
【図２９Ｃ】
2006502330.tif 000072
【図２９Ｄ】
2006502330.tif 000073
【図３０Ａ】
2006502330.tif 000074
【図３０Ｂ】
2006502330.tif 000075
【図３１Ａ】
2006502330.tif 000076
【図３１Ｂ】
2006502330.tif 000077
【図３１Ｃ】
2006502330.tif 000078
【図３１Ｄ】
2006502330.tif 000079
【図３２Ａ】
2006502330.tif 000080
【図３２Ｂ】
2006502330.tif 000081
【図３２Ｃ】
2006502330.tif 000082
【図３２Ｄ】
2006502330.tif 000083
【図３３Ａ】
2006502330.tif 000084
【図３３Ｂ】
2006502330.tif 000085
【図３３Ｃ】
2006502330.tif 000086
【図３３Ｄ】
2006502330.tif 000087
【図３３Ｅ】
2006502330.tif 000088
【図３４Ａ】
2006502330.tif 000089
【図３４Ｂ】
2006502330.tif 000090
【図３５Ａ】
2006502330.tif 000091
【図３５Ｂ】
2006502330.tif 000092
【図３５Ｃ】
2006502330.tif 000093
【図３５Ｄ】
2006502330.tif 000094
【国際調査報告】
2006502330.tif 000095
2006502330.tif 000096
2006502330.tif 000097
2006502330.tif 000098
2006502330.tif 000099